(57)【要約】【課題】  表示装置の額縁領域を縮小する。【解決手段】  Ｘ電極引き回し配線１７及び、Ｙ電極引き回し配線１８ｂは、それぞれ、Ｘ電極接続端子２２及びＹ電極接続端子２１を介して、ドライバＩＣ１４に接続される。Ｘ電極引き回し配線１７のシール部外側端１３１における配線ピッチと、Ｘ電極接続端子２２の端子ピッチとは、実質的に同一となっている。また、Ｙ電極引き回し配線１８ｂのシール部外側端１３１における配線ピッチと、Ｙ電極接続端子２１の端子ピッチとは、同一となっている。これによって、接続端子からシール部１３までの引き回し配線を直線状に形成することができるので、額縁領域を縮小することができる。【選択図】図２
2006047378.tif 000002
【特許請求の範囲】
【請求項１】
第１の基板と、
前記第１の基板と対向して配置された第２の基板と、
前記第１の基板と第２の基板との間に形成され、マトリック状に配置された複数の画素を備える表示領域と、
前記第１の基板と第２の基板の間において前記表示領域の外側に形成され、前記第１の基板と第２の基板とを固着するシール部と、
前記第１の基板上の前記シール部の外側において互いに平行に配列され、前記シール部の外側から前記シール部の内側に向かって直線状に延び、前記表示領域に配列された信号電極配線へ信号を伝送する複数の引き回し配線と、
前記第１の基板上の前記シール部の外側において、前記シール部の辺に沿って並ぶ複数の接続端子部を介して、前記複数の引き回し配線と接続されるドライバICと、を備え、
前記複数の引き回し配線と前記ドライバＩＣを接続する全ての前記接続端子部の各ピッチと、前記シール部外側端における前記引き回し配線の各配線ピッチとは、実質的に同一となっている、表示装置。
【請求項２】
前記シール部は、前記表示領域を含む封止空間を形成し、
前記表示装置は、前記封止空間内に封入された液晶層をさらに備え、
前記複数の引き回し配線のそれぞれは、トランスファ部を介して前記第２の基板上に形成された複数の配線のそれぞれに接続され、
前記トランスファ部の各ピッチと、前記シール部外側端における前記引き回し配線の各配線ピッチとは、実質的に同一となっている、
請求項１に記載の表示装置。
【請求項３】
前記シール部は導電性を備え、前記トランスファ部は前記シール部の一部として形成されている、請求項２に記載の表示装置。
【請求項４】
前記表示領域の一辺に沿って配列された全ての前記引き回し配線の前記シール部外側端における各配線ピッチと、前記全ての引き回し配線とドライバICとを接続する接続端子部の各ピッチとは、実質的に同一となっている、請求項１、２又は３のいずれか１項に記載の表示装置。
【請求項５】
前記複数の引き回し配線は、前記ドライバICの前記シール部と対向する辺と垂直方向に延びている、請求項１〜５のいずれか１項に記載の表示装置。
【請求項６】
第１の基板と、
前記第１の基板と対向して配置された第２の基板と、
前記第１の基板と第２の基板との間に形成された複数の画素を備える表示領域と、
前記第１の基板と第２の基板の間において前記表示領域の外側に形成され、前記第１の基板と第２の基板とを固着するシール部と、
前記第１の基板上の前記シール部の外側において互いに平行に配列され、前記シール部の外側から内側に向かって直線状に延び、前記表示領域に配列された電極配線へ信号を伝送する複数の引き回し配線と、
前記第１の基板上の前記シール部の外側において、前記シール部に沿って並んで配列された複数の接続端子部を介して、前記複数の引き回し配線と接続されるドライバICと、を備え、
前記シール部に対向する辺に並んで形成された全ての接続端子部の各端子ピッチと、前記全ての接続端子部のそれぞれに接続される前記引き回し配線の前記シール部外側端における各配線ピッチとは、実質的に同一となっている、
表示装置。
【請求項７】
前記ドライバＩＣから前記表示領域へ信号を伝送する全ての接続端子は、前記シール部に対向する辺に並んで形成されている、請求項６に記載の表示装置。
【請求項８】
第１の基板と、
前記第１の基板と対向して配置された第２の基板と、
前記第１の基板と第２の基板との間に形成された複数の画素を備える表示領域と、
前記第１の基板と第２の基板の間において前記表示領域の外側に形成され、前記第１の基板と第２の基板とを固着するシール部と、
前記第１の基板上の前記シール部の外側において前記シール部の外側から内側に向かって延び、前記表示領域に配列された電極配線へ信号を伝送する複数の引き回し配線と、
前記第１の基板上の前記シール部の外側において、前記複数の引き回し配線と接続されるドライバICと、を備え、
前記シール部外側端と、前記ドライバＩＣの前記シール部と対向する辺と重なる仮想直線との間において、前記ドライバＩＣと接続される全ての前記引き回し配線は、互いに平行に配列され、前記仮想直線と垂直な方向に延在している、表示装置。
【発明の詳細な説明】
【技術分野】
【０００１】
本発明は、表示装置に関し、特に表示装置におけるドライバICと伝送配線との接続構造に関する。
【背景技術】
【０００２】
近年、高度な映像・情報化社会の本格的な進展やマルチメディアシステムの急速な普及に伴い、フラットパネルディスプレイの主役を担っている液晶表示装置の重要性はますます増大している。液晶表示装置は、1888年にF. Reinizerによって発見された液晶と、1961年にP. Weimerによって発明された薄膜トランジスタから生まれ、その開発展開と応用展開は進展し続けている。また、液晶表示装置へのニーズは多様化と拡大の一途をたどっており、新たな可能性に期待が高まっている。
【０００３】
液晶表示装置の駆動方式には、液晶に電圧を印加するための電極構成の違いから、セグメント電極駆動、マトリクス電極駆動の２種類に大別される。後者は、電気アドレス方法の違いからパッシブマトリクス駆動とアクティブマトリクス駆動に分類される。パッシブマトリクス駆動では、走査電極と信号電極の交差部分が画素に対応し、駆動信号が直接印加される。典型的に、走査電極と信号電極を別々のガラス基板に形成し、それらを交差させて、その間に液晶を挟む形となっている。
【０００４】
以下、パッシブマトリクス型の液晶表示装置を例とし説明する。従来の液晶表示装置のＴＮ（Twisted Nematic）モードは、ＩＴＯからなる透明電極を形成した２枚の電極基板間に正の誘電率異方性を有するネマティック液晶を、９０度螺旋構造を有するように基板間に封入し、基板の外側には偏光板を配置するものであった。このようなねじれ角の液晶表示装置では、視角特性、時分割数の限界などの問題があった。
【０００５】
しかし、Apll. Phys. Lett., 45,1021（1984）でねじれ角を１８０度より大きくし、複屈折効果を利用することによって、時分割数を増大させるＳＴＮ（Super Twisted Nematic）モードの液晶表示装置が提案された。ＳＴNモード液晶表示装置は、液晶層を介在して互いに対向配置される１対の基板を備えている。１対の基板の液晶層と接する側に形成され、表示領域を形成する電極は、表示領域から電極の配置密度よりも高密度に配置されて基板の周辺に引き出された引き回し配線に接続される。引き回し配線は駆動回路に接続される。駆動回路の接続方法の１つとして、１対の基板の一方の周辺面に直接駆動回路を搭載した、チップ・オン・グラス（COG）方式が提案されている。COGは、部材点数の削減及びパネルサイズの縮小の観点から、好ましい駆動回路の実装形態である。
【０００６】
ここで、特許文献１は、表示領域外の周辺領域のサイズ縮小によるパネルサイズの縮小について開示している。具体的には、走査電極駆動回路および信号電極駆動回路をともにパネル上側の一辺に設け、電極と駆動回路とを引き回し配線を介してそれぞれ接続する。さらに、引き回し配線の一部はコンタクトホールを介して層の異なる引き回し配線に接続され、ほかの引き回し配線と層間絶縁膜を介して重なるように配置された２層以上の多層配線構造をとる。
【０００７】
これによって、走査電極配線および信号電極配線とそれぞれ接続された引き回し配線を基板上の画像表示部周辺で引き回し、走査電極側端子と信号電極側端子を基板の１辺に並置したので、パネルサイズを縮小することができる。また、引き回し配線の一部を、コンタクトホールを介して、層の異なる引き回し配線に変換し、ほかの引き回し配線と層間絶縁膜を介して重なるように配置した２層以上の多層構造としたので、さらに引き回し配線部分の占める面積を縮小できる。
【０００８】
図４は、従来技術を用いた液晶表示装置４０の配線構造の概略を模式的に示している。４１aはガラスなどよりなる前面側透明基板、４１ｂはガラスなどよりなる背面側透明基板である。前面側透明基板４１aと背面側透明基板４１ｂの間には、複数の画素より構成された画像表示を行う表示領域４２が形成されている。表示領域４２の外周にシール部４３が形成されている。シール部４３は前面側透明基板４１aと背面側透明基板４１ｂを固着し、表示領域４２を封止空間内に封止している。封止空間内には、STNモードの液晶が封入されている。
【０００９】
表示領域４２内には、複数のX電極配線４１１と複数のY電極配線４１２が形成されており、各X電極配線４１１と各Y電極配線４１２の交差部が一つの画素を構成する。背面側透明基板４１ｂにはCOG方式によって、ドライバIC４４が実装されている。X電極配線４１１とドライバIC４４とを、X電極引き回し配線４５が接続している。また、Y電極配線４１２とドライバIC４４とを、Y電極引き回し配線４６が接続している。
【００１０】
ドライバIC４４からシール部４３までの間において、X電極引き回し配線４５及びY電極引き回し配線４６は屈折して形成されている。X電極引き回し配線４５及びY電極引き回し配線４６の引き回しピッチ（例えば６０μｍ）と比較して、ドライバIC４４の接続端子の端子ピッチ（例えば４０μｍ）が小さいため、X電極引き回し配線４５及びY電極引き回し配線４６の引き回しピッチ（紙面左右方向における幅）を狭めて、接続端子と接続することが必要とされる。このため、図４に示すように、ドライバIC４４からシール部４３までの間において、X電極引き回し配線４５及びY電極引き回し配線４６は屈折している。
【００１１】
【特許文献１】特開平０９−３１１３４１
【発明の開示】
【発明が解決しようとする課題】
【００１２】
図４を参照して説明したように、シール部４３からドライバIC４４との接続端子までの間において、引き回し配線の引き回しピッチを狭める部分（図４の前面側透明基板４１aの基板端４１１aから引き回し配線の屈折部まで）が必要となる。この引き回しピッチを狭める部分は、周辺領域の額縁サイズを縮小することを阻害する要因となっていた。本発明はこのような事情を背景としてなされたものであって、本発明の目的は、表示装置の周辺領域の幅を縮小することである。
【課題を解決するための手段】
【００１３】
以下に課題を解決するための手段を開示する。本項目において、いくつかの構成要素は、実施の形態において説明された構成要素と対応付けられている。しかし、この対応付けは発明の理解の容易のためになされたものであって、各要素は実施の形態の対応要素にのみ限定されるものでない。
【００１４】
本発明の第１の態様にかかる表示装置は、第１の基板（例えば、図２における背面側透明基板１１ｂ）と、前記第１の基板と対向して配置された第２の基板（例えば、図２における前面側透明基板１１ａ）と、前記第１の基板と第２の基板との間に形成され、マトリック状に配置された複数の画素を備える表示領域と、前記第１の基板と第２の基板の間において前記表示領域の外側に形成され、前記第１の基板と第２の基板とを固着するシール部（例えば、図２におけるシール部１３）と、前記第１の基板上の前記シール部の外側において互いに平行に配列され、前記シール部の外側から前記シール部の内側に向かって直線状に延び、前記表示領域に配列された信号電極配線へ信号を伝送する複数の引き回し配線（例えば、図２におけるＹ電極引き回し配線１８ｂ）と、前記第１の基板上の前記シール部の外側において、前記シール部の辺に沿って並ぶ複数の接続端子部（例えば、図２におけるＹ電極接続端子２１）を介して、前記複数の引き回し配線と接続されるドライバICと、を備え、前記複数の引き回し配線と前記ドライバＩＣを接続する全ての前記接続端子部の各ピッチと、前記シール部外側端における前記引き回し配線の各配線ピッチとは、実質的に同一となっているものである。前記複数の引き回し配線と前記ドライバＩＣを接続する全ての前記接続端子部の各ピッチと、前記シール部外側端における前記引き回し配線の各配線ピッチとは、実質的に同一となっているので、引き回し配線を直線状に形成することができ、表示装置の周辺領域の幅を縮小することができる。
【００１５】
前記シール部は、前記表示領域を含む封止空間を形成し、前記表示装置は、前記封止空間内に封入された液晶層をさらに備え、前記複数の引き回し配線のそれぞれは、トランスファ部を介して前記第２の基板上に形成された複数の配線のそれぞれに接続され、前記トランスファ部の各ピッチと、前記シール部外側端における前記引き回し配線の各配線ピッチとは、実質的に同一となっていることができる。これによって、トランスファ部から接続端子部までの引き回し配線を直線状に形成することができる。さらに、前記シール部は導電性を備え、前記トランスファ部は前記シール部の一部として形成されていることが好ましい。これによって、トランスファ部を効率的な構成とすることができる。
【００１６】
前記表示領域の一辺に沿って配列された全ての前記引き回し配線（例えば、図２における、Ｘ電極引き回し配線１７及びＹ電極引き回し配線１８ｂ）の前記シール部外側端における各配線ピッチと、前記全ての引き回し配線とドライバICとを接続する接続端子部の各ピッチとは、実質的に同一となっていることが好ましい。これによって、表示領域の一辺について、周辺領域の幅をより縮小することができる。
前記複数の引き回し配線は、前記ドライバICの前記シール部と対向する辺と垂直方向に延びていることが好ましい。これによって周辺領域の幅をより縮小することができる。
【００１７】
本発明の他の態様に係る表示装置は、第１の基板（例えば、図２における、背面側透明基板１１ｂ）と、前記第１の基板と対向して配置された第２の基板（例えば、図２における、前面側透明基板１１ａ）と、前記第１の基板と第２の基板との間に形成された複数の画素を備える表示領域と、前記第１の基板と第２の基板の間において前記表示領域の外側に形成され、前記第１の基板と第２の基板とを固着するシール部（例えば、図２におけるシール部１３）と、前記第１の基板上の前記シール部の外側において互いに平行に配列され、前記シール部の外側から内側に向かって直線状に延び、前記表示領域に配列された電極配線へ信号を伝送する複数の引き回し配線（例えば、図２における、Ｘ電極引き回し配線１７及びＹ電極引き回し配線１８ｂ）と、前記第１の基板上の前記シール部の外側において、前記シール部に沿って並んで配列された複数の接続端子部（例えば、図２におけるＸ電極接続端子２２及びＹ電極接続端子２１）を介して、前記複数の引き回し配線と接続されるドライバICと、を備え、前記シール部に対向する辺に並んで形成された全ての接続端子部の各端子ピッチと、前記全ての接続端子部のそれぞれ接続される前記引き回し配線の前記シール部外側端における各配線ピッチとは、実質的に同一となっている。シール部に対向する辺に並んで形成された全ての接続端子部の各端子ピッチと、全ての接続端子部のそれぞれに接続される引き回し配線のシール部外側端における各配線ピッチとが実質的に同一であるので、引き回し配線を直線状に形成することができ、周辺領域の幅を縮小することができる。
【００１８】
さらに、前記ドライバＩＣから前記表示領域への信号を伝送する全ての接続端子部は、前記シール部に対向する辺に並んで形成されていることが好ましい。これによって周辺領域の幅をより縮小することができる。
【００１９】
本発明の他の態様に係る表示装置は、第１の基板（例えば、図２における、背面側透明基板１１ｂ）と、前記第１の基板と対向して配置された第２の基板（例えば、図２における、前面側透明基板１１ａ）と、前記第１の基板と第２の基板との間に形成された複数の画素を備える表示領域と、前記第１の基板と第２の基板の間において前記表示領域の外側に形成され、前記第１の基板と第２の基板とを固着するシール部（例えば、図２におけるシール部１３）と、前記第１の基板上の前記シール部の外側において前記シール部の外側から内側に向かって延び、前記表示領域に配列された電極配線へ信号を伝送する複数の引き回し配線（例えば、図２における、Ｘ電極引き回し配線１７及びＹ電極引き回し配線１８ｂ）と、前記第１の基板上の前記シール部の外側において、前記複数の引き回し配線と接続されるドライバICと、を備え、前記シール部外側端と、前記ドライバＩＣの前記シール部と対向する辺と重なる仮想直線との間において、前記ドライバＩＣと接続される全ての前記引き回し配線は、互いに平行に配列され、前記仮想直線と垂直な方向に延在している。シール部外側端と、ドライバＩＣのシール部と対向する辺と重なる仮想的直線との間において、ドライバＩＣと接続される全ての引き回し配線が互いに平行に配列され、さらに、仮想直線と垂直な方向に延在しているので、周辺領域の幅を縮小することができる。
【発明の効果】
【００２０】
本発明によれば、表示装置の周辺領域の幅を縮小することができる。
【発明を実施するための最良の形態】
【００２１】
以下に、本発明を適用可能な実施の形態が説明される。以下の説明は、本発明の実施形態を説明するものであり、本発明が以下の実施形態に限定されるものではない。説明の明確化のため、以下の記載及び図面は、適宜、省略及び簡略化がなされている。尚、各図面において、同一要素には同一の符号を付しており、説明の明確化のため、必要に応じて重複説明を省略する。
【００２２】
図１は、本発明の一実施形態に係る液晶表示装置１の視認側から見た構成を模式的に示す構成図である。図１は、本発明に係る液晶表示装置の一例として、STN（Super Twisted Nematic）モードのパッシブマトリックス液晶表示装置を示している。図１において、１１ａは視認側に配置された前面側透明基板、１１ｂは前面透明基板と対向して配置され、背面側（反視認側）に配置された背面側透明基板である。前面側透明基板１１ａ及び背面側透明基板１１ｂは、ガラスや樹脂などよって形成することができる。
【００２３】
１２は画像表示を行う表示領域である。表示領域１２の外側には、表示領域１２の周囲を囲むようにシール部１３が形成されている。シール部１３は、前面側透明基板１１ａと背面側透明基板１１ｂとを固着する。前面側透明基板１１ａと背面側透明基板１１ｂの間はスペーサによって一定のギャップが維持されている。前面側透明基板１１ａと背面側透明基板１１ｂの間において、シール部１３の内側に形成された封止空間内に、液晶（不図示）が封入される。この液晶は、ＳＴＮ液晶からなる。ＳＴＮモードの液晶表示装置は、液晶のねじれ角を１８０度より大きくし、複屈折効果を利用することによって時分割数を増大させ、表示情報処理量を増大させたものである。
【００２４】
表示領域１２は、マトリックス状に配置された複数の画素１２１を備えている。表示領域１２内の背面側透明基板１１ｂの内側（視認側）表面上に、紙面の左右方向に延びる複数のX電極配線１２２が形成されている。複数のX電極配線１２２は、紙面上下方向（Y方向）に、一定間隔をおいて配列されている。又、表示領域１２内の前面側透明基板１１ａの内側（反視認側）表面上に、紙面の上下方向に延びる複数のY電極配線１２３が形成されている。複数のY電極配線１２３は、紙面左右方向（X方向）に、一定間隔をおいて配列されている。
【００２５】
X電極配線１２２及びY電極配線１２３はそれぞれ、一定の幅を持つ直線状に形成され、隣接する電極配線とは一定間隔を隔てて平行に配置されている。X電極配線１２２及びY電極配線１２３は、又、ITOなどの透明導電体によって形成されている。X電極配線１２２及びY電極配線１２３は互いに直交するように配置されており、X電極配線１２２とY電極配線１２３の各交差部が１画素１２１に対応する。これによって、マトリックス状に配置された複数の画素が構成される。各画素に能動素子は設けられておらず、液晶表示装置１は、駆動信号がスイッチ素子を介さずに直接印加されるパッシブマトリクス駆動である。
【００２６】
前面側透明基板１１ａは背面側透明基板１１ｂよりも小さく、前面側透明基板１１ａの基板端１１１ａよりも外側において背面側透明基板１１ｂの一部が露出している。この背面側透明基板１１ｂの露出面上において、シール部１３の外側にドライバIC１４が実装されている。本形態の液晶表示装置１は、COG（Chip On Glass）方式の実装方法を使用しており、ドライバIC１４は、FPC（Flexible Printed Circuit）を介することなく、背面側透明基板１１ｂの上に直接に搭載されている。
【００２７】
ドライバIC１４は、X電極配線１２２及びY電極配線１２３のそれぞれに画像表示のための表示信号を出力する。ドライバIC１４には、制御回路（不図示）からの画像信号及び制御信号が、背面側透明基板１１ｂ上の入力端子１５を介して入力される。ドライバIC１４は、制御回路からの信号に従って表示信号を表示領域に向けて出力する。本例においては、一つのドライバIC１４のみが実装され、全てのX電極配線１２２及びY電極配線１２３への信号を出力する。
【００２８】
X電極配線１２２及びY電極配線１２３とドライバIC１４との接続は、引き回し配線を介して行われる。複数のX電極配線１２２とドライバIC１４との接続は、複数のX電極引き回し配線１７によって行われる。Y電極配線１２３とドライバIC１４との接続は、Y電極引き回し配線１８（Y電極引き回し配線１８ａ及び１８ｂを含むものを指す）によって行われる。X電極引き回し配線１７及びY電極引き回し配線１８は、ITOなどの透明導電体によって形成されている。
【００２９】
複数のX電極引き回し配線１７は背面側透明基板１１ｂ上に形成されている。紙面上側半分のX電極配線１２２と接続されるX電極引き回し配線１７は、背面側透明基板１１ｂの右側端部上を上下方向（Y方向）に延び、ドライバIC１４の右側端部の接続端子部と接続される。紙面下側半分のX電極配線１２２と接続されるX電極引き回し配線１７は、背面側透明基板１１ｂの左側端部上を上下方向（Y方向）に延び、ドライバIC１４の左側端部の接続端子部と接続される。
【００３０】
Y電極引き回し配線１８は、前面側透明基板１１ａ上に形成されたY電極引き回し配線１８ａと、背面側透明基板１１ｂ上に形成されたY電極引き回し配線１８ｂとを備えている。ドライバIC１４は、Y電極引き回し配線１８ｂと接続端子部を介して接続されている。Y電極引き回し配線１８ａはY電極配線１２３のそれぞれと連続しており、その一部が屈曲するように形成されている。
【００３１】
図２は、ドライバIC１４と引き回し配線１７、１８との接続部の詳細を示す図である。又、図３は、図２のA−A´切断線における断面図である。ドライバIC１４の下側には、表示領域１２及びシール部１３と対向する辺に沿って一列に配列された複数の接続端子部が形成されている。これら複数の接続端子部は、複数のY電極引き回し配線１８ｂとそれぞれ接続される複数のY電極接続端子２１と、複数のX電極引き回し配線１７とそれぞれ接続される複数のX電極接続端子２２とを含んでいる。
【００３２】
図３を参照して、ドライバIC１４とY電極引き回し配線１８との接続構造について説明する。ドライバIC１４と背面側透明基板１１ｂ上のY電極引き回し配線１８bとは、Y電極引き回し配線１８b上にあるY電極接続端子２１を介して接続されている。ドライバIC１４はY電極接続端子２１上に配置されており、ドライバIC１４とY電極接続端子２１が接続される。例えば、ドライバIC１４の下側裏面に形成されたバンプとY電極接続端子２１上に形成されたパッドとによって接続端子部を形成することができる。尚、接続端子部の構造は特に上記構成に限定されない。
【００３３】
Y電極引き回し配線１８bはシール部１３の外側からシール部１３の内側（表示領域１２側）に向かって延びている。シール部１３が、Y電極引き回し配線１８bと前面側透明基板１１ａ内側面上に形成されているY電極引き回し配線１８ａとを構造的に接続している。シール部１３には導電性の粒子が混入されており、Y電極引き回し配線１８ａとY電極引き回し配線１８bを電気的に接続するトランスファ部として機能する。尚、シール部１３とは別にトランスファ部を形成することが可能である。
【００３４】
図には示さないが、X電極接続端子２２を介したドライバIC１４とX電極引き回し配線１７との接続部も上記と類似の構造を有している。X電極引き回し配線１７の上のX電極接続端子２２を介して、ドライバIC１４とX電極引き回し配線１７とを接続する。X電極引き回し配線１７は背面側透明基板１１ｂにのみ形成されているため、シール部１３によるトランスファ部は存在しない。
【００３５】
図２に戻って、複数のY電極引き回し配線１８bは、シール部１３（あるいは、表示領域１２もしくは背面側透明基板１１ｂ）の一辺に沿った方向に並んで配列されている。Y電極引き回し配線１８bが配列されている方向において、シール部外側端１３１におけるY電極引き回し配線１８bの各配線ピッチは、Y電極接続端子２１の各端子ピッチと実質的に同一となっている。このため、全てのY電極引き回し配線１８bは、シール部１３の外側から内側に向かって直線状に延びている。また、各Y電極引き回し配線１８bは、互いに平行に形成されており、ドライバIC１４のシール部１３（もしくは表示領域１２）に対向する辺と垂直な方向に延びている。
【００３６】
このように、Y電極引き回し配線１８bのシール部外側端１３１におけるピッチと、ドライバIC１４とのY電極接続端子２１ピッチを実質的に同一とすることによって、全てのY電極引き回し配線１８bを直線状に形成することができ、シール部外側端１３１からY電極接続端子２１までの距離を縮小し、表示パネルの周辺領域の幅を縮小することができる。また、Y電極引き回し配線１８bがドライバIC１４のシール部１３に対向する辺１４１と垂直な方向に延びることによって、より周辺領域の幅を縮小することができる。
【００３７】
X電極接続端子２２は、Y電極接続端子２１と同様に、シール部１３（あるいは、表示領域１２もしくは背面側透明基板１１ｂ）の一辺に沿った方向に並んで配列されている。つまり、X電極接続端子２２は、Y電極接続端子２１と同一方向に配列されている。X電極接続端子２２は、Y電極接続端子２１の右側と左側に分かれて形成されている。図１を参照して上に説明したように、X電極引き回し配線１７は、左側のX電極接続端子２２を紙面下側半分のX電極配線１２２に接続し、右側のX電極接続端子２２を紙面上側半分のX電極配線１２２に連続する。
【００３８】
X電極接続端子２２が配列されている方向において、シール部外側端１３１におけるX電極引き回し配線１７の各配線ピッチは、X電極接続端子２２の各端子ピッチと実質的に同一となっている。このため、全てのX電極引き回し配線１７は、シール部１３の外側（X電極接続端子２２）からシール部外側端１３１に向かって直線状に延びている。シール部外側において全てX電極引き回し配線１７を直線状に形成することができ、シール部外側端１３１からX電極接続端子２２までの距離を縮小し、表示パネルの額縁領域を縮小することができる。
【００３９】
上記のように、好ましくは、ドライバICの一辺に配列された全ての接続端子部（X電極接続端子２２及びY電極接続端子２１）の各端子間ピッチと、それに接続される引き回し配線（X電極引き回し配線１７及びY電極引き回し配線１８b）のシール部外側端１３１における各配線ピッチを実質的に同一とする。これによって、ドライバIC１４の一辺１４１からシール部外側端１３１に延びる全ての引き回し配線を直線状に形成することができ、シール部外側端１３１から接続端子部までの距離をより効果的に縮小することができる。
【００４０】
又、好ましくは、シール部１３の一辺（あるいは表示領域１２の一辺）の全ての引き回し配線について、接続端子ピッチとシール部外側端１３１の各配線ピッチが実質的に同一となる。これによって、シール部１３の一辺から延在する全ての引き回し配線が直線状に形成され、シール部外側端１３１から接続端子部までの距離をより効果的に縮小することができる。さらに、引き回し配線が、ドライバＩＣ１４のシール部１３と対向する辺１４１と垂直方向に延びていることで、周辺領域の幅をさらに縮小することができる。
【００４１】
ここで、例えば、X電極接続端子２２をドライバＩＣ１４の左右の辺１４２、１４３に形成することも可能である。この場合においても、ドライバＩＣ１４の辺１４１に重なる仮想直線とシール部外側端１３１との間において、全ての引き回し配線が上記仮想直線と垂直な方向に延在することによって、周辺領域の幅を縮小することができる。尚、この点は、X電極接続端子２２が、図２のように、シール部外側端１３１に沿って配列されている場合も同様である。
【００４２】
尚、ドライバIC１４は背面側透明基板１１ｂ上に形成された例を示したが、前面側透明基板１１ａもしくは背面側透明基板１１ｂいずれの基板上に搭載されていてもよい。上記例においては、１つのドライバICが異なる種類の電極配線への信号を出力するが、複数のドライバICを接続することも可能である。本例は、パッシブマトリックスの液晶表示装の例を説明したが、アクティブマトリックスの液晶表示装置などに本発明を適用することも可能である。また、本発明は液晶表示装置に限らず、有機EL（Electro Luminescence）表示装置など他の態様の表示装置に適用することが可能である。
【図面の簡単な説明】
【００４３】
【図１】本実施形態に係る液晶表示装置の構造概略を模式的に示した構成図である。
【図２】本実施形態に係る液晶表示装置における、引き回し配線の配線構造を模式的に示した構成図である。
【図３】図２のA−Ａ´切断線における断面図である。
【図４】従来技術を用いた液晶表示装置の構造概略を模式的に示した構成図である。
【符号の説明】
【００４４】
１  液晶表示装置、１１ａ  前面側透明基板、１１ｂ  背面側透明基板
１２  表示領域、１３  シール部、１５  入力端子、１７  Ｘ電極引き回し配線
１８  Ｙ電極引き回し配線、２１  Ｘ電極接続端子、２２  Ｙ電極接続端子
４０  液晶表示装置、４１a  前面側透明基板、４１ｂ  背面側透明基板
４２  表示領域、４３  シール部、４５  Ｘ電極引き回し配線、
４６  Ｙ電極引き回し配線、１１１ａ  基板端、１２１  画素、
１２２  Ｘ電極配線、１２３  Ｙ電極配線、１３１  シール部外側端
４１１  Ｘ電極配線、４１２  Ｙ電極配線
【図１】
2006047378.tif 000003
【図２】
2006047378.tif 000004
【図３】
2006047378.tif 000005
【図４】
2006047378.tif 000006